(57)【要約】【課題】食器洗浄機の化粧面材の出代を調整できる構成とし、システムキッチンの構築物と表面と同一平面上にし、システムキッチン全体の統一感のある食器洗浄機を実現すること。【解決手段】洗浄槽３の前方に前板部７を設け、この前板部７の前面側上方に操作パネル５を配し、前板部７の操作パネル５下に洗浄機本体４の前面を被覆できる形状寸法に形成された化粧面材６を設け、前板部７に化粧面材６の前後方向の出代調整を可能とする調整機能２８を設けたもので、化粧面材６の表面がビルトインされたシステムキッチンの構築物の表面と奥行き方向でずれが発生しても、表面を同一平面上に位置させることができ、システムキッチン全体の統一感を得ることができる。【選択図】図５
2011019731.tif 000002
【特許請求の範囲】
【請求項１】
前方に開口する箱状に形成された洗浄機本体内に、上方に開口する洗浄槽が前記洗浄機本体の前方開口部から前後方向に出し入れできるように収容されてなる食器洗浄機であって、前記洗浄槽の前方に前板部を設け、この前板部の前面側上方に操作パネルを配し、前記前板部の前記操作パネル下に前記洗浄機本体の前面を被覆できる形状寸法に形成された化粧面材を設け、前記前板部に前記化粧面材の前後方向の出代調整を可能とする化粧面材出代調整機能を設けた食器洗浄機。
【請求項２】
前板部に構成した化粧面材出代調整機能において、化粧面材の出代寸法は前記前板部の化粧面材出代調整機能への当り位置とした請求項１記載の食器洗浄機。
【請求項３】
化粧面材に前記化粧面材を前板部に固定する固定金具を設け、前記前板部に構成した化粧面材出代調整機能において、前後方向に進退する出代調整部材は前記固定金具に当接させる構成とした請求項１または２記載の食器洗浄機。
【発明の詳細な説明】
【技術分野】
【０００１】
本発明は、システムキッチンを構成するキッチンカウンタ下などにビルトインされ、洗浄槽を前後に進退移動させて食器類を出し入れするプルオープン型の食器洗浄機に関するものである。
【背景技術】
【０００２】
従来、この種の食器洗浄機は、図１０に示すように、多くはシステムキッチンを構成するキッチンカウンタＫの下にビルトインされる。キッチンカウンタＫの下に引き出し式の収納部Ｌや開き戸式の収納部Ｍなどのシステムキッチン構築物が設けられ、オーブンレンジＮや食器洗浄機１がビルトインされるのが一般的な設置形態である。このようなシステムキッチンでは、キッチンカウンタＫの下に構築される収納部Ｌ、Ｍなどシステムキッチン構築物の表面材は、その素材や色調、図柄が統一され、表面位置が同一平面上になるようにした美麗な外観に仕上げられている。これに合わせて食器洗浄機１やオーブンレンジＮの表面も同一の色調、図柄に形成され、その表面がシステムキッチン構築物と同一位置になるようにして統一感が得られるようにしている（例えば、特許文献１参照）。
【０００３】
しかし、洗浄槽３を前方に引き出して食器類を出し入れするプルオープン型の食器洗浄機１は扉２に取り付けられている化粧面材６の位置が、システムキッチンの構築物のゆがみ、傾きによるずれによりシステムキッチン構築物と表面位置が同一平面上にならなくなるとシステムキッチン全体の統一感を損なうため、システムキッチン構築物と表面位置が同一平面上になることが望まれている。
【先行技術文献】
【特許文献】
【０００４】
【特許文献１】特開平０８−２０６０５１号公報
【発明の概要】
【発明が解決しようとする課題】
【０００５】
しかしながら、前記従来の構成では、食器洗浄機１、システムキッチン構築物それぞれにおいて発生したゆがみ、傾きによる奥行き方向のずれが生じても、化粧面材６の表面位置調整は食器洗浄機１自体による位置合わせ、または、システムキッチン構築物自体での位置合わせによる大掛かりな位置調整をしなくては、システムキッチン構築物の表面材と食器洗浄機１の化粧面材６の表面位置が同一平面上にならないという課題を有していた。
【０００６】
本発明は、前記従来の課題を解決するもので、洗浄槽３に取り付いている扉２に化粧面材６の出代を調整できる構成とし、容易にシステムキッチン構築物と表面位置を同一平面上にできるようにし、システムキッチン全体の統一感のある食器洗浄機を提供することを目的とする。
【課題を解決するための手段】
【０００７】
前記従来の課題を解決するために、本発明の食器洗浄機は、前方に開口する箱状に形成された洗浄機本体内に、上方に開口する洗浄槽が前記洗浄機本体の前方開口部から前後方向に出し入れできるように収容されてなる食器洗浄機であって、前記洗浄槽の前方に前板部を設け、この前板部の前面側上方に操作パネルを配し、前記前板部の前記操作パネル下に前記洗浄機本体の前面を被覆できる形状寸法に形成された化粧面材を設け、前記前板部に前記化粧面材の前後方向の出代調整を可能とする化粧面材出代調整機能を設けたものである。
【０００８】
これによって、食器洗浄機をシステムキッチンや流し台などにビルトインし洗浄槽を洗浄機本体内に押し入れた状態にしたとき、洗浄槽の前方に設けられた前板部に取り付けられた化粧面材はシステムキッチンなどの構築物の表面と同一の材料で形成されていることからシステムキッチンの統一感を損なうことがない。
【０００９】
また、洗浄機本体内に洗浄槽を押し入れたとき、化粧面材の表面がビルトインされたシステムキッチンの構築物の表面と同一平面上に位置するように食器洗浄機を設置することができる。
【００１０】
また、本発明の食器洗浄機は、前板部に取り付けた化粧面材の出代を調整可能な機能を有しているので、化粧面材の表面がビルトインされたシステムキッチンの構築物の表面と奥行き方向でずれが発生しても、簡単な出代調整作業によって、表面を同一平面上に位置させることができる。
【００１１】
また、化粧面材の出代の調整は前板部の調整機能に化粧面材を当て位置決めを行う容易なものとしたものである。
【００１２】
これによって、食器洗浄機自体のゆがみ、傾き、システムキッチン自体のゆがみ、傾き、システムキッチンの構築物のゆがみ、傾きなどに対しても食器洗浄機の表面に取り付けた化粧面材は、簡単な出代調整作業によって、確実に表面を同一平面上に位置させることができシステムキッチン全体の統一感を損なうことがなくなる。
【発明の効果】
【００１３】
本発明の食器洗浄機は、洗浄槽の前方に取り付けられた化粧面材の表面の奥行き方向の位置を、簡単な出代調整作業によって、ゆがみ、傾きのあるシステムキッチンの構築物の表面と同一平面上に位置させることができるので、システムキッチン全体の統一感を得ることができる。
【図面の簡単な説明】
【００１４】
【図１】本発明の実施の形態１における食器洗浄機をビルトインしたキッチンシステムの例を示す斜視図
【図２】本発明の実施の形態１における食器洗浄機の断面図
【図３】同食器洗浄機の前面構成を示す正面図
【図４】同食器洗浄機の洗浄槽に対する前板部、化粧面材の取り付け状態を示す図
【図５】（ａ）同食器洗浄機の前板部に対する化粧面材の取付け構造および調整機能の調整前の状態を示す断面図、（ｂ）同調整機能の調整後の状態を示す断面図
【図６】同食器洗浄機の化粧面材に設けられた位置決め金具及び固定金具を示す平面図
【図７】同食器洗浄機の前板部に設けられた固定部材の構成を示す断面図
【図８】同食器洗浄機の調整機能の要部拡大平面図
【図９】同食器洗浄機の調整機能の要部拡大断面図
【図１０】（ａ）従来の食器洗浄機をシステムキッチンにビルトインし、洗浄槽を前方に引き出した状態を示す斜視図、（ｂ）同食器洗浄機の洗浄槽を洗浄機本体内に押し入れた状態を示す斜視図
【発明を実施するための形態】
【００１５】
第１の発明は、前方に開口する箱状に形成された洗浄機本体内に、上方に開口する洗浄槽が前記洗浄機本体の前方開口部から前後方向に出し入れできるように収容されてなる食器洗浄機であって、前記洗浄槽の前方に前板部を設け、この前板部の前面側上方に操作パ
ネルを配し、前記前板部の前記操作パネル下に前記洗浄機本体の前面を被覆できる形状寸法に形成された化粧面材を設け、前記前板部に前記化粧面材の前後方向の出代調整を可能とする化粧面材出代調整機能を設けたことにより、洗浄槽の前方に設けられた前板部に取り付けられた化粧面材はシステムキッチンなどの構築物の表面と同一の材料で形成されることとなり、キッチンの統一感を損なうことがなく美麗な外観のシステムキッチンに構成することができるとともに、化粧面材の表面がビルトインされたシステムキッチンの構築物とずれが発生したとき、出代を調整することによりシステムキッチンの構築物の表面と同一平面上にすることができる。
【００１６】
第２の発明は、前板部に構成した化粧面材出代調整機能において、化粧面材の出代寸法は前記前板部の化粧面材出代調整機能への当り位置としたことにより、化粧面材の左右上下の出代寸法を合わすのが容易となり、化粧面材の表面がビルトインしずれている場合に、システムキッチンの構築物の表面と同一平面上に容易に位置させることができる。
【００１７】
第３の発明は、化粧面材に前記化粧面材を前板部に固定する固定金具を設け、前記前板部に構成した化粧面材出代調整機能において、前後方向に進退する出代調整部材は前記固定金具に当接させる構成としたことにより、出代の調整後の固定による応力や永年の使用による化粧面材の変形に起因する出代の変化やがたつきの発生を防止することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における食器洗浄機１をシステムキッチンを構成するキッチンカウンタＫの下にビルトインした状態を示すもので、食器洗浄機１の扉２の表面には操作パネル５が設けられ、その下方にはキッチンカウンタＫの下に配置されたシステムキッチン構築物の表面材と同一の素材で色調、図柄を同一にした化粧面材６が取り付けられている。従って、食器洗浄機１をビルトインしてシステムキッチンを構成したときに周囲のシステムキッチン構築物との統一感が得られ、美麗な外観のシステムキッチンに構成することができる。
【００２０】
図２は、本発明の実施の形態１の食器洗浄機の構成を示す断面図である。前記食器洗浄機１は、図２に示すように、前方に開口する箱状に形成された洗浄機本体４内に、上方に開口する洗浄槽３を洗浄機本体４の前方開口部から前後に進退移動させ、前方に引き出して上方に開口する洗浄槽３から食器類８を出し入れすることができるプルオープン型に構成されている。前記洗浄機本体４には給水、排水の配管接続及び電源接続がなされ、前記洗浄槽３には洗浄機本体４から給水弁９、給水パイプ１０を通じて給水接続がなされ、ポンプ１１から洗浄槽３の底面に配設されて回転駆動される洗浄ノズル１２から洗剤を混入させた洗浄水又はすすぎ水を噴射させて食器かご１３に収容した食器類８を洗浄する。
【００２１】
この洗浄槽３はその外側面に取り付けられた第２のスライドレール１４を洗浄機本体４の内側面に取り付けられた第１のスライドレール１５上でスライドさせることにより、洗浄機本体４の前方開口部から出し入れすることができる。洗浄槽３を洗浄機本体４内に押し入れたときには、洗浄槽３の上方開口部は内蓋１６によって密閉され、洗浄する水が外部に飛散しないようにしている。
【００２２】
前記洗浄槽３の前方には洗浄槽３の幅と略同一にした前板部７が設けられ、前板部７には上方に操作パネル５が設けられ、下方に化粧面材６を取り付けた扉２が取り付けられる。操作パネル５には、洗浄槽３を洗浄機本体４内に収納したとき、収納状態に保持するロック機構を解除して洗浄槽３の引き出しを可能にするロック解除レバーや、食器乾燥時の
乾燥空気の排気口、食器洗浄機１の運転を操作する操作入力ボタンなどが設けられている。この操作パネル５の下端に上端を接するようにして前板部７に化粧面材６が取り付けられている。
【００２３】
扉２を構成する操作パネル５及び化粧面材６は、図３に示すように、洗浄機本体４の前面を覆うことができる幅に形成されているので、ビルトインされた食器洗浄機１の扉２を閉じる、即ち洗浄槽３を洗浄機本体４に収納した状態において、図２に示すように、前板部７は洗浄機本体４の前方開口部内に入り、扉２は洗浄機本体４の前方開口部を閉じ、図１に示すように、周囲のシステムキッチン構築物との間に所定の間隔を隔ててシステムキッチンの構築物中に統一感のある状態に設置される。
【００２４】
前記化粧面材６は、キッチンカウンタＫの下に構築された引き出し式の収納部Ｌや開き戸式の収納部Ｍ、あるいは固定されたパネルなどシステムキッチン構築物の表面材と同一素材、同一色調、同一図柄に形成され、それぞれの表面位置が同一面上に位置するように取り付けられる。
【００２５】
化粧面材６を取り付ける前板部７は、図４に示すように、洗浄槽３の前面上方から前方に延出形成された操作パネル取付部１７と、洗浄槽３の前面下方から前方に延出形成された前板取付部１８との間に、洗浄槽３の前面外壁との間に空間を形成して取り付けられる。前記操作パネル取付部１７には表面から操作パネル５が取り付けられ、その内側の洗浄槽３との間に形成される空間にスイッチ類を収容した電装品収納部１９が取り付けられる。前記前板取付部１８には、洗浄槽３と略同一幅に形成された前板部７が取り付けられ、洗浄槽３の前面外壁との間に形成される空間には制御回路を構成した回路基板などを収容した制御回路収容部２０や洗浄槽３内に乾燥用空気を循環させるエアダクトなどが配設される。
【００２６】
図５は、前板部７に対する化粧面材６の取り付け構造および調整機能を示す断面図である。図５に示すように、前板部７には化粧面材６を取り付けるための位置決め部２１と固定部２２とがそれぞれ上部と下部に左右一対設けられ、一方、図５および図６に示すように、化粧面材６には前記位置決め部２１に対応する位置決め金具２３と前記固定部２２に対応する固定金具２４とがそれぞれ左右一対取り付けられている。化粧面材６に位置決め金具２３及び固定金具２４を取り付けるとき、化粧面材６は上下及び左右方向に対称の形状に形成されているので、上下の区別を確認することなく取付け作業を行うことができる。
【００２７】
前板部７に設けられた固定部２２は、図７に示すように、一対の把持片２５ａを弾性連結部２５ｂで互いに接近するように弾性連結して構成された固定部材２５と、この固定部材２５を保持する保持部材２６とを備えて構成されている。
【００２８】
図８は本発明の実施の形態１における食器洗浄機の調整機能の要部拡大正面図、図９は同食器洗浄機の調整機能の要部拡大断面図である。図８および図９に示すように、前板部７の下部には、調整機能２８（化粧面材出代調整機能）が、化粧面材６の固定金具２４と対応する固定部２２の下方に設けてあり、前記調整機能２８は、調整ねじ２８ａ（出代調整部材）の頭部２８ｂの回転による出代調整により化粧面材６の下方部の前後方向の出代を変更することができる構成としてある。
【００２９】
化粧面材６に取り付けられる固定金具２４は、図６および図７に示すように、取付け面２４ｂから直角に切り起こして２つの先端部を弧状に折り曲げた嵌合部２４ａを設けて略Ｌ字状に金属で形成されており、図９に示すように、取付け面２４ｂに調整機構２８の調整ねじ２８ａの頭部２８ｂが当接する寸法形状としてある。すなわち、調整機構２８の調
整ねじ２８ａを回転させることによって調整可能な化粧面材６の出代寸法は、前板部７に設けた調整機能２８への当り位置によって定まる構成としてある。
【００３０】
以上のように構成した食器洗浄機について、化粧面材６を前板部７に取り付ける際の動作、作用を説明する。化粧面材６を前板部７に取り付けるには、まず、斜め下方から上方に化粧面材６を押し上げると、位置決め金具２３の先端が位置決め部２１の係合穴に嵌入するので、化粧面材６の下方を前板部７の前面に押し付けると、図７に示すように、固定金具２４の嵌合部２４ａが固定部２２の一対の把持片２５ａの間に押し込まれて仮固定される。
【００３１】
次に、この状態で洗浄槽３を洗浄機本体４内に収納し、化粧面材６の表面位置がシステムキッチン構築物の表面材と同一平面上にあるか否かを検証し、例えば図５（ａ）に示すように化粧面材６の下方が奥方向にずれて位置し、システムキッチン全体の統一感を損なうほどのずれが認められる場合には、一旦洗浄槽３を洗浄機本体４から引き出し、調整ねじ２８ａの頭部２８ｂを適量回転させて化粧面材６の前後方向の出代を調整して、図５（ｂ）に示すような状態にして上記のずれを無くする。
【００３２】
その後、図７に示すように、前板部７の側面からねじ２７を一方の把持片２５ａに形成されたねじ穴に螺入し、一方の把持片２５ａを貫通し、固定金具２４の２つの嵌合部２４ａの間を通過して他方の把持片２５ａに形成されたねじ穴に螺入すると、一対の把持片２５ａの対向間が狭まって嵌合部２４ａを狭圧するので、固定金具２４が固定部２２に固定されて化粧面材６が前板部７に取り付けられる。
【００３３】
以上のように、本発明の食器洗浄機、特に前板部に対する化粧面材の取り付け構造および調整機能よれば、化粧面材６を前板部７に取り付けるときに調整機能２８の調整ねじ２８ａに化粧面材６の固定金具２４の部分を当てて取り付けるだけで、化粧面材６の出代寸法が決まり表面がビルトインされたシステムキッチンの構築物の表面と奥行き方向でずれが発生しても、食器洗浄機１または、システムキッチン構築物を動かして調整する大掛かりなことをせずに容易に表面を同一平面上に位置させることができる。
【００３４】
また、調整ねじ２８ａを、通常木製あるいは樹脂製とされる化粧面材６に直接ではなく、金属製の固定金具２４に当接させる構成としたことにより、出代の調整後の固定による応力や永年の使用による化粧面材６の変形に起因する出代の変化やがたつきの発生を防止することができる。
【００３５】
なお、本実施の形態では、化粧面材６を前板部７に仮固定した状態で調整機能２８にて化粧面材６の出代を調整した後、固定金具２４と固定部２２とで化粧面材６を前板部７に完全に固定するようにしたが、固定金具２４と固定部２２とで化粧面材６を前板部７に完全に固定してから調整機能２８にて化粧面材６の出代を調整しても同様の効果を得ることができる。
【産業上の利用可能性】
【００３６】
以上のように、本発明にかかる食器洗浄機は、容易に化粧面材の奥行き方向の位置調整ができるので、システムキッチン構築物と表面位置を同一平面上に位置させ、システムキッチン全体の統一感が望まれる、システムキッチンにビルトインされる食器洗浄機等として有用である。
【符号の説明】
【００３７】
１  食器洗浄機
２  扉
３  洗浄槽
４  洗浄機本体
５  操作パネル
６  化粧面材
７  前板部
８  食器類
９  給水弁
１０  給水パイプ
１１  ポンプ
１２  洗浄ノズル
１３  食器かご
１４  第２のスライドレール
１５  第１のスライドレール
１６  内蓋
１７  操作パネル取付部
１８  前板取付部
１９  電装品収納部
２０  制御回路収容部
２１  位置決め部
２２  固定部
２３  位置決め金具
２４  固定金具
２４ａ  嵌合部
２４ｂ  取付け面
２５  固定部材
２５ａ  把持片
２５ｂ  弾性連結部
２６  保持部材
２７  ねじ
２８  調整機能（化粧面材出代調整機能）
２８ａ  調整ねじ（出代調整部材）
２８ｂ  頭部
【図５】
2011019731.tif 000003
【図８】
2011019731.tif 000004
【図９】
2011019731.tif 000005
【図１】
2011019731.tif 000006
【図２】
2011019731.tif 000007
【図３】
2011019731.tif 000008
【図４】
2011019731.tif 000009
【図６】
2011019731.tif 000010
【図７】
2011019731.tif 000011
【図１０】
2011019731.tif 000012